(57)【特許請求の範囲】
【請求項１】
複数項目に分けて記憶された情報を記憶するメモリから情報を出力する情報出力制御方法であって、
前記メモリは、前記複数の項目毎に表示制限ランクを記憶し、
撮像ステップと、
この撮像ステップにて撮像された画像と、前記メモリに記憶された画像とを照合する照合ステップと、
この照合ステップによって照合された結果得られる一致率に応じてランク付けするランク付けステップと、
このランク付けステップにて付けられたランクと、前記メモリに記憶されている表示制限ランクとを比較する比較ステップと、
この比較ステップにて比較された結果に基づいて項目の情報の表示を制限して前記メモリに記憶されている情報を出力するよう制御する制御ステップと
からなることを特徴とする情報出力制御方法。
【請求項２】
情報を表示する表示手段と、
この情報を複数項目に分け、これらの項目毎に表示制限ランクを記憶する記憶手段と、
撮像手段と、
この撮像手段によって撮像された画像と前記記憶手段に記憶された画像とを照合する照合手段と、
この照合手段によって照合された結果得られる一致率に応じてランク付けするランク付け手段と、
このランク付け手段よって付けられたランクと、前記記憶手段に記憶されている表示制限ランクとを比較する比較手段と、
この比較手段によって比較された結果に基づいて項目の情報の表示を制限して、前記メモリに記憶されている情報を前記表示手段に表示するよう制御する制御手段と、を備えたことを特徴とする情報表示装置。
【請求項３】
前記制御手段は、比較手段によって比較された結果、前記ランク付け手段によって付けられたランクが、前記表示制限ランクと同等又は上位の場合に、この表示制限ランクに対応する項目の情報を表示するよう制御することを特徴とする請求項２に記載の情報表示装置。
【請求項４】
前記撮像手段によって撮像された画像の撮像対象が印刷物か否かを判別する撮像対象判別手段を更に備えたことを特徴とする請求項２又は３に記載の情報表示装置。
【請求項５】
合焦手段と、この合焦手段による合焦動作に基づいて前記画像に含まれる被写体と当該装置との距離を複数取得する距離取得手段とを更に備え、前記撮像対象判別手段は、前記距離取得手段によって得られる複数の距離に基づいて前記撮像対象を判別することを特徴とする請求項４記載の情報表示装置。
【請求項６】
外光による撮像対象の照度を計測する照度計測手段を更に備え、前記撮像対象判別手段は、上記照度計測手段によって得た計測値を基に前記撮像対象を判別することを特徴とする請求項４記載の情報表示装置。
【発明の詳細な説明】
【０００１】
【発明の属する技術分野】
本発明は情報機器のセキュリティに用いる暗証照合技術に関し、特に、登録画像をシークレットキーとして照合する画像の照合による情報出力制御方法及び情報表示装置に関する。
【０００２】
【従来の技術】
パーソナルコンピュータ（以下、パソコン）を含む情報機器に内蔵されている情報を他人に見られたり盗まれたりしないようにするシークレットキー機能は英数字を用いたパスワードによるものが主流であり、ある桁数の英数字の組み合わせをパスワード（暗証）として登録しておき、情報機器へのアクセス時に文字列の入力を求め、入力された文字列とパスワードとの一致・不一致により当該情報機器へのアクセスの許可／不許可（つまり、シークレットキーの解除の可否）を決定する方法が主として用いられている。
【０００３】
【発明が解決しようとする課題】
しかしながら、上述のようなパスワードを用いる方式では英数字の組み合わせがパスワードと一致すればシークレットキーが解除され情報機器へのアクセスが可能となる。また、ユーザはパスワードを憶えておかなければならないので憶えやすい自分の電話番号や誕生日または氏名等にしていることが多く、そのユーザの電話番号、誕生日または氏名等を知っている他人にとってパスワードの解読は容易になるといった問題点があった。
【０００４】
本発明は上記問題点を解消することを目的になされたものであり、画像をシークレットキー（暗証）として用いる画像の照合による情報出力制御方法及び情報表示装置の提供を目的とする。
【０００５】
【課題を解決するための手段】
上記課題を解決するために第１の発明は、複数項目に分けて記憶された情報を記憶するメモリから情報を出力する情報出力制御方法であって、前記メモリは、前記複数の項目毎に表示制限ランクを記憶し、撮像ステップと、この撮像ステップにて撮像された画像と、前記メモリに記憶された画像とを照合する照合ステップと、この照合ステップによって照合された結果得られる一致率に応じてランク付けするランク付けステップと、このランク付けステップにて付けられたランクと、前記メモリに記憶されている表示制限ランクとを比較する比較ステップと、この比較ステップにて比較された結果に基づいて項目の情報の表示を制限して前記メモリに記憶されている情報を出力するよう制御する制御ステップとからなることを特徴とする。
【０００６】
また、第２の発明の情報表示装置は、情報を表示する表示手段と、この情報を複数項目に分け、これらの項目毎に表示制限ランクを記憶する記憶手段と、撮像手段と、この撮像手段によって撮像された画像と前記記憶手段に記憶された画像とを照合する照合手段と、この照合手段によって照合された結果得られる一致率に応じてランク付けするランク付け手段と、このランク付け手段よって付けられたランクと、前記記憶手段に記憶されている表示制限ランクとを比較する比較手段と、この比較手段によって比較された結果に基づいて項目の情報の表示を制限して、前記メモリに記憶されている情報を前記表示手段に表示するよう制御する制御手段と、を備えたことを特徴とする。
【０００７】
また、第３の発明は上記第２の発明において、前記制御手段は、比較手段によって比較された結果、前記ランク付け手段によって付けられたランクが、前記表示制限ランクと同等又は上位の場合に、この表示制限ランクに対応する項目の情報を表示するよう制御することを特徴とする。
【０００８】
また、第４の発明は上記第２又は第３の発明において、前記撮像手段によって撮像された画像の撮像対象が印刷物か否かを判別する撮像対象判別手段を更に備えたことを特徴とする。
【０００９】
また、第５の発明は上記第４の発明において、合焦手段と、この合焦手段による合焦動作に基づいて前記画像に含まれる被写体と当該装置との距離を複数取得する距離取得手段とを更に備え、前記撮像対象判別手段は、前記距離取得手段によって得られる複数の距離に基づいて前記撮像対象を判別することを特徴とする。
【００１０】
また、第６の発明は上記第４の発明において、外光による撮像対象の照度を計測する照度計測手段を更に備え、前記撮像対象判別手段は、上記照度計測手段によって得た計測値を基に前記撮像対象を判別することを特徴とする。
【００１３】
【発明の実施の形態】
図１は本発明の情報表示装置の一実施例としてのユーザの腕に装着させることにより携帯可能な腕時計型デジタルカメラ（以下、デジタルカメラ）の外観図であり、図１（ａ）は上部方向からみた外観、図１（ｂ）はＡ方向から見た外観を示す。また、図２はその回路構成例を示すブロック図である。
図１で、腕時計型デジタルカメラ１００の本体上部には表示部（液晶画面）７が設けられ、Ａ方向から見た側部にはカメラモジュール１の撮像レンズ１ａ及びＩｒ（赤外線）通信モジュール１０の赤外線送受信部１０ａが設けられ、他の側部にはスイッチＳ１〜Ｓ５及びシャッターキーＦ０が設けられている。また、後述するように撮像レンズ側にカメラモジュールの一部として、照度検出部（照度センサ）を設けるようにしてもよい。
【００１４】
図２で、腕時計型デジタルカメラ１００は、カメラモジュール１、制御部２、システムＲＯＭ３、作業メモリ（ＲＡＭ）４、保存メモリ（フラッシュメモリ）５１、インターフェース５２、表示ドライバ６、表示部（液晶画面）７、シャッターキー８（Ｆ０）、キー入力部９（スイッチＳ１〜Ｓ５）及びＩｒ（赤外線）通信モジュール１０を備えている。また、音響出力部を設けるようにしてもよい。
【００１５】
カメラモジュール１は撮像レンズ、レンズ駆動部、信号変換部及び信号処理部からなる撮像部からなり、撮影時に被写体像を取り込んで画像データに変換し、その画像データ（以下、単に、画像と記す）を作業メモリ４に記憶する。また、シャッターキー８が操作されると作業メモリ４に記憶された画像に圧縮処理等を施してから制御部２を介して保存メモリ５１に保存記憶する。また、前述したように照度検出部（照度センサ）を設けるようにしてもよい。
【００１６】
制御部２は、ＣＰＵ（図示せず）、クロック２１、時刻補正回路２２及び画像認識処理部２３からなっている。また、ＣＰＵは上述の各モジュールや回路、メモリ、キー等にバスラインを介して接続し、システムＲＯＭ３に格納されている制御プログラムにより腕時計型デジタルカメラ１００全体の制御を行なうと共に、シャッターキー８やキー入力部９から受け取る信号に対応してシステムＲＯＭ３に格納されている画像撮影／再生処理プログラムや本発明に基づく画像照合プログラム、シークレット情報表示プログラム等を取り出して、腕時計型デジタルカメラ１００の各機能の実行制御等を行なう。また、画像認識処理部２３はＣＰＵの制御下で本発明に基づく画像照合処理を実行する。
【００１７】
システムＲＯＭ３は、上述した制御プログラム、画像撮影／再生処理プログラム、及び画像照合プログラム等の各種プログラムのほか、定数、アイコン、及びメニューデータ等を格納するメモリである。
【００１８】
作業メモリ４はＲＡＭ（ＤＲＡＭ）等の揮発性メモリからなり、「画像照合モード」では、撮影画像（照合用画像）の一時記憶、保存メモリ５１から取り出されたシークレットキー画像（圧縮画像データ）の伸張及び再生されたシークレットキー画像の一時記憶、表示部７に表示する個人情報等の一時記憶、その他中間結果の一時記憶等の際のメモリとして用いられる。
また、他のモード、例えば、「時刻表示モード」では時刻情報及びその更新情報等の作業メモリとして用いられる。
【００１９】
保存メモリ５１はフラッシュメモリ等の不揮発性メモリで構成され、インターフェース５２と着脱可能になっている。そして、図３（ｂ）の例に示すように撮影されたシークレットキー画像（暗証画像）と特定の情報（例えば、図４の例に示すような個人情報）を対応付けて保存記憶している。なお、シークレットキー画像と対応付ける情報（以下、シークレット情報）は個人情報に限定されない（例えば、画像を商品とし、価格や規格、品質、・・・等の商品情報を対応付けるようにしてもよく、また、画像や音響情報でもよい。また、画像に特定の暗証コードを対応付けるようにしてもよい）。つまり、保存メモリ５１には画像と共にその画像に対応付けられたシークレット情報が保存記憶されている。
【００２０】
表示ドライバ６は制御部２から送られる画像やシークレット情報等の表示データをビットマップイメージに変換して画像メモリ（ＶＲＡＭ）に展開し表示部７に表示する。なお、シークレット情報が音響情報の場合には音響信号変換器により音響データ（デジタルデータ）を音響信号（アナログ信号）に変換して音響出力装置から出力する。
【００２１】
キー入力部９はスイッチＳ１〜Ｓ５を備え、これらのスイッチが操作されると状態信号が制御部２のＣＰＵに送出される。また、スイッチＳ１〜Ｓ５には「画像照合モード」下でそれぞれ［情報表示］、「画像再生」、「シークレットキー画像登録」、「シークレットキー画像登録取り消し」といったように特定の処理指定機能が割り付けられている。また、例えば、スイッチＳ５に機能切り替え機能を割り当てておき、スイッチＳ５を押すたびに表示部７にメニューが表示されるように構成し、メニュー表示が「時計モード」に切り替わった場合のスイッチＳ１〜Ｓ４に割付られた機能を「時刻表示」、「日付設定」、「曜日設定」、「時刻設定」といったようにすることもできる。
【００２２】
また、メニュー表示が「情報登録モード」の場合にはスイッチＳ１〜Ｓ５の組み合わせで英数字の入力を行うようにすることもできる。また、モード表示が「外部情報入力」の場合にはＩｒ通信モジュール１０からの情報（データ）を入力し、保存メモリ５１に保存記憶することもできる。また、スイッチＳ１〜Ｓ５の組み合わせ操作で英数字、カタカナ、及びかな漢字を入力可能に構成してもよい（かな漢字入力可能とする場合には、かな漢字辞書を格納した保存メモリを備えるようにする）。
【００２３】
[実施の形態（１）]
図３はシークレットキー画像の説明図であり、（ａ）はシークレットキー画像候補とする被写体３０（この例では熊のぬいぐるみ）を示す。なお、シークレットキー画像とする被写体は人形に限定されない。つまり、物体、図形、人物等のように静止画像として撮影可能なものであればよい。また、（ｂ）は腕時計型デジタルカメラ１００に登録（保存記憶）されたシークレットキー画像３１を示している。
【００２４】
また、図４はシークレットキー画像に対応付けて腕時計型デジタルカメラ１００の保存メモリ５１に格納されているシークレット情報の説明図であり、この例では図示のようなユーザの個人情報４０が保存メモリ５１に格納され、シークレットキー画像３１と対応付けられている。
なお、シークレットキー画像に対応させるシークレット情報は、キー入力部９の各スイッチ（Ｓ１〜Ｓ５）の組み合わせにより直接入力することもできるが、予め外部装置等で作成したシークレット情報をＩｒ通信モジュール１０を介して入力し保存メモリ５１に格納（登録）するようにしてもよいし、保存メモリ５１が腕時計型デジタルカメラ１００と着脱可能に構成されていることから事前にシークレットキー画像とシークレット情報とが対応付けて記憶された保存メモリ５１を装着させてもよい。また、シークレットキー画像に対応させるシークレット情報の保存メモリ５１への格納（登録）のタイミングは対応させるシークレットキー画像の保存メモリ５１への保存記憶前が望ましいが、後述するように対応させるシークレットキー画像の保存記憶後に行ってもよい。
【００２５】
（シークレットキー画像の登録）
図５はシークレットキー画像登録動作の一実施例を示すフローチャートである。
ステップＴ１：（シークレットキー画像とする被写体の撮影）
「シークレットキー画像登録モード」で、腕時計型デジタルカメラ１００で図３（ａ）に示すようなシークレットキー画像候補の被写体３０を撮影する（シャッターキー８を押す）と、カメラモジュール１に取り込まれた被写体像が画像（画像データ）に変換され、作業メモリ４に記憶される。
【００２６】
ステップＴ２：（撮影画像の表示）
また、作業メモリ４に記憶された画像は表示ドライバ６に送られ、イメージ化されて表示部７（液晶画面）に静止画表示される。また、この際、ユーザにシークレットキー画像として登録してよいか否かの確認を促すメッセージを静止画像に重畳表示する。
【００２７】
ステップＴ３：（シークレットキー画像登録の可否確認）
ユーザは上記ステップＴ２で表示部７に表示された画像及びメッセージを見て表示されている画像の写り具合（アングル、色合い、大きさ等）を調べ、シークレットキー画像として登録してもよいと考える場合にはＯＫキー（例えば、ボタンＳ１）を押し、撮り直したほうがよいと考える場合にはＮＧキー（例えば、ボタンＳ２）を押す。
制御部２（ＣＰＵ）はキー入力部９からの状態信号を調べ、ＯＫキー（例えば、ボタンＳ１）が押された場合にはＴ４に遷移し、ＮＧキー（例えば、ボタンＳ２）が押された場合には撮り直しのためにＴ１に制御を戻す。
【００２８】
ステップＴ４：（シークレット情報の有無確認）
制御部２（ＣＰＵ）はシークレットキー画像に対応するシークレット情報（つまり、シークレットキー画像によって保護される情報）が保存メモリ５１に既に格納（登録）済みか否かを調べ、格納済みの場合にはＴ５に遷移し、そうでない場合にはＴ６に遷移する。
【００２９】
ステップＴ５：（シークレットキー画像の登録）
制御部２（ＣＰＵ）は作業メモリ４に記憶されている画像に圧縮処理（例えば、ＪＰＥＧ圧縮）を施し、圧縮画像（圧縮画像データ）をシークレットキー画像として保存メモリ５１に格納されているシークレット情報に対応付けて保存メモリ５１に登録（保存記憶）する。
また、シークレットキー画像とシークレット情報の対応付けは、例えば、シークレットキー画像側にシークレットキー画像を意味するコードとシークレット情報の先頭アドレス（ポインタ）及びそのデータサイズを記憶し、シークレット情報側にシークレットキー画像の画像番号を記憶する等の方法により行うことができる。
また、この際、実施例では画像認識処理部２３により画像の縦方向の長さ及び横幅（焦点（中心）を通って上下に直交し、被写体像の縁部で止まる線分の長さ）及びシークレット画像の特徴（例えば、突出部分（人物や動物を例とすると、頭部、耳、手足）の先端位置（座標））をシークレットキー画像に対応付けて保存メモリ５１に登録する（図７（ａ）参照）。なお、特徴抽出する要素の中に色の組み合わせや色の配置を加えるようにしてもよい。
また、１つのシークレットキー画像に複数のシークレット情報を対応付けるようにしてもよい（例えば、本人の個人情報及び家族一人一人の個人情報を１つのシークレットキー画像にを対応付けるようにしてもよい）。この場合はシークレットキー画像側にシークレットキー画像を意味するコードと各シークレット情報の先頭アドレス（ポインタ）及びそのデータサイズが記憶される。また、逆に、１つのシークレット情報に対して複数のシークレットキー画像を対応付けるようにしてもよい。この場合は各々のシークレット情報側にシークレットキー画像の画像番号が記憶される。
【００３０】
ステップＴ６：（シークレットキー画像仮登録確認等）
制御部２（ＣＰＵ）はシークレット情報が登録されていない旨のメッセージ及びシークレットキー画像を仮登録しておくか否かの確認を促すメッセージを表示部７に表示する。また、キー入力部９からの状態信号を調べ、ＯＫキー（例えば、ボタンＳ１）が押された場合には仮登録のためにＴ７に遷移し、ＮＧキー（例えば、ボタンＳ２）が押された場合にはシークレットキー画像登録処理を終了する。
【００３１】
ステップＴ７：（シークレットキー画像の仮登録）
制御部２（ＣＰＵ）は作業メモリ４に記憶されている画像に圧縮処理（例えば、ＪＰＥＧ圧縮）を施し、圧縮画像（圧縮画像データ）をシークレットキー画像として保存メモリ５１に仮登録（保存記憶）する。この場合、保存記憶する画像にシークレットキー画像を意味するコードを登録すると共にシークレット情報の先頭アドレス（ポインタ）及びそのデータサイズを登録する部分にはダミーコード（スペース又は「０００００」等）を書き込む。
また、この際、実施例では画像認識処理部２３によりシークレットキー画像の縦方向の長さ及び横幅及びシークレットキー画像の特徴（例えば、突出部分（人物や動物を例とすると、頭部、耳、手足）の先端位置（座標））を制御部２（ＣＰＵ）は仮登録するシークレットキー画像に対応付けて保存メモリ５１に登録する（図７（ａ）参照）。なお、特徴抽出する要素の中に色の組み合わせや色の配置を加えるようにしてもよい。
【００３２】
（シークレットの解除）
図６はシークレットキー画像照合動作の説明図、図７は腕時計型デジタルカメラ１００によるシークレットキー画像照合及び情報表示動作の一実施例を示すフローチャートである。
【００３３】
ユーザは腕時計型デジタルカメラ１００に保存されているシークレット情報を読みたい場合には、シークレットキー画像と一致する画像（照合用画像）を入力する必要がある。また、照合用画像の入力は腕時計型デジタルカメラ１００を用いて照合用画像とする被写体を撮影することにより行われる。
【００３４】
ステップＵ１：（照合用画像とする被写体の撮影）
図７で、ユーザが腕時計型デジタルカメラ１００で図６（ｂ）又は（ｂ’）に示すようなキー画像候補の被写体３２（又は３２’）を撮影する（シャッターキー８を押す）と、カメラモジュール１に取り込まれた被写体像が画像（画像データ）に変換され、作業メモリ４に記憶される。
【００３５】
ステップＵ２：（撮影画像の表示）
また、作業メモリ４に記憶された画像は表示ドライバ６に送られ、イメージ化されて表示部７（液晶画面）に静止画表示される。また、この際、ユーザに照合用の照合用画像としてよいか否かの確認を促すメッセージを静止画像に重畳表示する。
【００３６】
ステップＵ３：（撮影画像の可否確認）
ユーザは上記ステップＵ２で表示部７に表示された画像及びメッセージを見て表示されている画像の写り具合（アングル、色合い、大きさ等）を調べ、シークレットキー画像と照合する照合用画像として適切と考える場合にはＯＫキー（例えば、ボタンＳ１）を押し、撮り直したほうがよいと考える場合にはＮＧキー（例えば、ボタンＳ２）を押す。
制御部２（ＣＰＵ）はキー入力部９からの状態信号を調べ、ＯＫキー（例えば、ボタンＳ１）が押された場合にはＵ４に遷移し、ＮＧキー（例えば、ボタンＳ２）が押された場合には撮り直しのためにＵ１に制御を戻す。
【００３７】
ステップＵ４：（撮影画像の画像の整合化処理）
画像認識処理部２３は、撮影画像に図７（ｂ）に示すような整合化処理を施して登録されているシークレットキー画像と照合する照合用画像を得る。なお、整合化処理は撮影画像の傾きや大きさが通常は登録されているシークレットキー画像の傾きや大きさと一致しない場合が多いので、傾きや大きさをシークレットキー画像と整合させるために行う。
【００３８】
ステップＵ５：（シークレットキー画像と照合用画像との照合（画像比較））
画像認識処理部２３は、上記ステップＵ４で得た照合用画像とシークレットキー画像（図６（ａ））を比較し、一致する場合（図６（ｂ））にはシークレット解除のためにＵ９に遷移し、画像が一致しない場合（図６（ｂ’））にはＵ６に遷移する。なお、この場合の画像の一致は形状（及び色彩）について所定の閾値の範囲内での一致を意味する。つまり、光の具合や、振動によるぶれ等や撮影画像の伸縮処理（Ｕ４−６）による画素密度の変化等により、異なる時期に撮影した画像が完全に一致する確率は高いとはいえないので、例えば、一致率９９．５パーセント以上（この場合は、閾値＝０．５パーセント）の場合には一致とみなすといったようにする。
【００３９】
ステップＵ６：（照合用画像の特徴抽出）
画像認識処理部２３は、照合用画像の特徴（例えば、突出部分（人物や動物を例とすると、頭部、耳、手足）の先端位置（座標））を抽出する。なお、特徴抽出する要素の中に色の組み合わせや色の配置を加えるようにしてもよい。
【００４０】
ステップＵ７：（特徴の照合）
次に、画像認識処理部２３は、保存メモリ５１に保存されているシークレット画像の特徴と上記ステップＵ６で抽出した照合用画像の特徴を比較し、一致した場合にはシークレット解除のためにＵ９に遷移し、画像が一致しない場合にはＵ８に遷移する。つまり、その全体像における特徴的な部分とその位置関係（例えば、照合用画像の耳の位置、足の位置などとシークレット画像の耳の位置、足の位置）を判断する（すなわち、照合用画像と相似形か否か（全体の特徴部分とその全体比率）を判断する）。
【００４１】
ステップＵ８：（シークレット解除不可表示）
制御部２（ＣＰＵ）は、撮影した画像が異なるのでシークレット解除ができない旨のメッセージを表示ドライバ６を介して表示部７に表示し、処理を終了する。
【００４２】
ステップＵ９：（シークレット解除）
制御部２（ＣＰＵ）は、表示部７にシークレット解除による可能な処理メニュー、例えば、「ボタンＳ１→シークレット情報表示」、「ボタンＳ２→シークレットキー画像登録変更」、「ボタンＳ３→シークレットキー画像登録取り消し」、「ボタンＳ４→シークレット情報入力」）を表示し、ユーザに処理の選択を促す。
【００４３】
ステップＵ１０：（選択メニューの判定）
制御部２（ＣＰＵ）は、キー入力部９からの状態信号を調べ、スイッチＳ１が押された場合にはＵ１１に遷移し、スイッチＳ２が押された場合にはＵ１２に遷移し、スイッチＳ３が押された場合にはＵ１３に遷移し、スイッチＳ４が押された場合にはＵ１４に遷移する。
【００４４】
ステップＵ１１：（シークレット情報の表示処理等）
上記ステップＵ１０でボタンＳ１が選択されると、制御部２（ＣＰＵ）は照合用画像に一致したシークレットキー画像に対応するシークレット情報（例えば、図４の個人情報）を保存メモリ５１から取り出して作業メモリ４に一時記憶した後、表示ドライバ６を介して表示部７に表示し、ユーザが終了ボタン（例えば、Ｓ５）を押すと表示を終了する。
また、照合用画像に一致したシークレットキー画像が仮登録されたシークレットキー画像（図５（ステップＴ７）参照）の場合には、図示していないが、その旨を意味するメッセージを表示部７に表示してユーザにシークレット情報追加を行うか否かを選択するメッセージ（例えば、イエス→ボタンＳ４、ノー→ボタンＳ５）を表示し、ユーザがボタンＳ４を押すとＵ１３に遷移し、ボタンＳ５を押すと処理を終了する。
【００４５】
ステップＵ１２：（シークレットキー画像登録変更処理）
上記ステップＵ１０でボタンＳ２が選択されると、制御部２（ＣＰＵ）は、図５のシークレット画像登録処理動作のステップＴ１（「撮影」）、Ｔ２（「撮影画像表示」）及びＴ３（撮影画像の確認）に相当する動作を実行し、確認された撮影画像を照合用画像に一致したシークレットキー画像と置換（つまり、現在のシークレットキー画像に撮影画像を上書き）して保存メモリ５１に保存記憶し、処理を終了する。また、この場合、保存記憶する画像にシークレットキー画像を意味するコードを記憶すると共にシークレット情報の先頭アドレス（ポインタ）及びそのデータサイズを記憶する（仮登録のシークレットキー画像を変更する場合は、シークレット情報の先頭アドレス（ポインタ）及びそのデータサイズを登録する部分にはダミーコード（スペース又は「０００００」等）を書き込む）。また、この際、実施例では画像認識処理部２３により画像の縦方向の長さ及び横幅及びシークレットキー画像の特徴（例えば、突出部分（人物や動物を例とすると、頭部、耳、手足）の先端位置（座標））をシークレットキー画像に対応付けて保存メモリ５１に登録する。なお、特徴抽出する要素の中に色の組み合わせや色の配置を加えるようにしてもよい。
【００４６】
ステップＵ１３：（シークレットキー画像登録取り消し処理）
上記ステップＵ１０でボタンＳ３が選択されると、制御部２（ＣＰＵ）はシークレットキー画像及び取り消し確認メッセージを表示し、ユーザが取り消し確認操作を行う（例えば、ボタンＳ４を押す）と、そのシークレットキー画像、当該シークレットキー画像の縦横のサイズ、当該シークレットキー画像に対応するシークレット情報のポインタ及びそのデータサイズ等、取り消されるシークレットキー画像に関する情報を消去する。また、当該シークレットキー画像に対応するシークレット情報側に対応付けられていた画像番号をクリアして、処理を終了する。
【００４７】
ステップＵ１４：（シークレット情報の追加）
上記ステップＵ１０でボタンＳ４が選択されると、制御部２（ＣＰＵ）は、キー入力部９からの直接キー入力又はＩｒ通信モジュール１０を介した外部情報処理装置からのシークレット情報の入力を可能とする。そして、入力されたシークレット情報を一旦作業メモリ４に一時記憶し、入力が終わるとそれを表示部７に表示してユーザの確認を求め、ユーザが確認ボタン（例えば、ボタンＳ５）を操作すると作業メモリ４に記憶されているシークレット情報を保存メモリ５１に保存記憶する。また、この際、シークレット情報側にはシークレットキー画像の画像番号を記憶し、対応するシークレットキー情報側にはシークレットキー画像を意味するコードを記憶すると共にシークレット情報の先頭アドレス（ポインタ）及びそのデータサイズを記憶し、処理を終了する。
【００４８】
なお、上記図７（ａ）の例では、ステップＵ９のシークレット解除メッセージの表示と共に処理メニューを表示し、シークレット情報表示、シークレットキー登録変更等・・を選択するように構成したが、これに限定されない（例えば、処理の最初（ステップＵ１の前段）に処理メニューを表示し、シークレット情報表示、シークレットキー登録変更等・・を選択するようにし、ステップＵ９のシークレット解除後の処理選択メッセージ表示の後、直ちにステップＵ１の前段で選択された処理を行うように構成してもよい。
また、上記図７（ａ）の例では、ステップＵ４の整合化処理の後、ステップＵ５の画像比較処理とステップＵ６、Ｕ７の特徴抽出・比較処理のいずれかを行うように構成したが、ステップＵ５の画像比較処理のみを行い、一致した場合には「シークレット解除」（Ｕ９）以降の処理に遷移し、そうでない場合には「シークレット解除不可メッセージ表示」（Ｕ８）に遷移するようにしてもよく、或いは、ステップＵ６・Ｕ７の特徴抽出・比較処理のみを行い、一致した場合にはＵ９以降の処理に遷移し、そうでない場合にはＵ８に遷移するようにしてもよい（なお、ステップＵ６・Ｕ７の特徴抽出・特徴比較処理のみを行う場合はステップＵ４の画像整合化処理を省略してもよい）。
【００４９】
・「整合化処理」
以下、図７（ａ）のステップＵ４の画像認識処理部２３による整合化処理動作の一実施例について図７（ｂ）を基に述べる。
ステップＵ４−１：（撮影画像の縦・横の長さの取得）
画像認識処理部２３は、撮影画像（被写体）の縦の長さと横幅とを調べ、それらの長さを作業メモリ４に保持する。
【００５０】
ステップＵ４−２：（シークレットキー画像と撮影画像の縦・横の長さの比較）
画像認識処理部２３は、シークレットキー画像に対応付けて保存メモリ５１に登録されているシークレットキー画像と撮影画像の縦方法の長さ及び横幅を取り出して、上記ステップＵ４−１で取得した撮影画像の縦方向の長さと横幅とをそれぞれ比較し、共に一致する場合には以後の動作を行うことなく撮影画像を照合用画像としてＵ５（図７（ａ））に遷移する。また、縦方向の長さ及び横幅が一致しない場合にはＵ４−３に遷移する。
【００５１】
ステップＵ４−３：（シークレットキー画像と撮影画像の縦・横比の算出）
画像認識処理部２３は、シークレットキー画像の縦の長さをＨ１、横幅をＷ１、撮影画像の縦の長さをＨ２、横幅をＷ２とするときシークレットキー画像と撮影画像の縦及び横の比（Ｋ１＝Ｈ１／Ｈ２、Ｋ２＝Ｗ１／Ｗ２）を算出する。
【００５２】
ステップＵ４−４：（相似判定）
次に、画像認識処理部２３は、Ｋ１とＫ２を比較し有効桁数の範囲内で一致しない場合はシークレットキー画像と撮影画像が相似でないと判定し、Ｕ４−５に遷移する。また、Ｋ１とＫ２が有効桁数の範囲内で一致する場合は相似と判定し、Ｕ４−６に遷移する。
【００５３】
ステップＵ４−５：（撮影画像の微小回転）
撮影時の画角の加減により撮影画像（被写体画像）の傾きがシークレットキー画像の傾きと一致していない場合には、実際には被写体画像の縦の長さ及び横幅が等しくても（或いは、実際にはＫ１＝Ｋ２であっても）、上記ステップＵ４−２では異なる長になるので、ステップＵ４−２での一致判定、或いはステップＵ４−４での相似判定を得ることはできない。
そこで、画像認識処理部２３は撮影画像を所定の角度θの範囲（つまり、０〜θ、０〜−θ）の範囲内で所定角度δ（０＜δ＜＜θ、−θ＜＜δ＜０）ずつ回転させ、Σδ＞θなると０に戻してΣδ＜−θになるまで（つまり｜Σδ｜＞θとなるまでＵ４−１〜Ｕ４−５を繰り返し、Σδ＜−θになるとＵ５（図７（ａ））に遷移する。
【００５４】
ステップＵ４−６：（撮影画像の伸縮）
画像認識処理部２３は撮影画像とシークレットキー画像のサイズを揃えるために相似倍率Ｍ（＝撮影画像のサイズ／シークレットキー画像のサイズ＝Ｋ２／Ｋ１）を算出し、撮影画像を（１／Ｍ）倍した画像を生成し、照合用画像として作業メモリ４に一時記憶し、Ｕ５（図７（ａ））に遷移する。
なお、上記図７（ａ）、（ｂ）の説明では、図５のステップＴ５又はＴ７で保存メモリ５１に登録したシークレットキー画像の縦方向の長さ及び横幅と、シークレットキー画像の特徴を図７（ｂ）のステップＵ４−２での画像の一致判定、ステップＵ４−４での相似判定に用いたが、図５のステップＴ５又はＴ７ではシークレットキー画像の縦方向の長さ及び横幅の取得とシークレットキー画像の特徴抽出を行わないようにし、図７（ｂ）のステップＵ４−１で撮影画像の縦方向の長さ及び横幅と共にシークレットキー画像の縦方向の長さ及び横幅を取得するようにし、ステップＵ４−３で撮影画像の特徴抽出と共にシークレットキー画像の特徴抽出を行うようにしてもよい。
【００５５】
[実施の形態（２）]
図８は被写体判別の一実施例の説明図、図９は腕時計型デジタルカメラ１００によるシークレットキー画像照合時の被写体判別動作の一実施例を示すフローチャートである。
【００５６】
シークレットキー画像とする被写体としては同じ画角で撮影すればいつ撮影しても同じ画像が撮影できるものであればよいができるだけユニークなものが望ましい。従って、写真等の印刷物の場合はシークレットキー画像と同様のものが複製される可能性があるのでシークレットキー画像と対照させるものとしては望ましいとはいえない。本発明はシークレット解除用の照合用画像として撮影する被写体が写真か否かを判別する方法を提供する。
【００５７】
このために、図２の腕時計型デジタルカメラ１００に自動焦点（オートフォーカス）機能を付加し、図８に示すように撮影前に２点（被写体３０（３０’）の中央８１（８１’）と辺部（背景部分）８２（８２’））を焦点と合焦動作を行い、合焦によって得る焦点距離を基に被写体３０が写真か否かを判断する。
つまり、図８（ａ）に示すように被写体３０が写真でない場合には被写体（熊のぬいぐるみ）３０の中央８１とカメラの距離ｒ１と辺部８１の距離ｒ２が図８（ａ’）に示すように異なる（図８（ａ’）の例ではｒ１＜ｒ２であるが、ｒ１＞ｒ２でもよい）。
しかし、被写体３０’が図８（ｂ）に示すように写真（熊のぬいぐるみのプリント）の場合には、被写体３０’の中央点８１’とカメラの距離ｒ１と辺部８２’との距離ｒ２が図８（ｂ’）に示すようにほぼ一致する。従って、自動焦点機能により撮影前に２点に自動合焦させることにより、合焦によって得た焦点距離を基に上記２点とカメラとの距離を調べれば写真か否かを知ることができる。
【００５８】
（被写体の判別動作）
すなわち、被写体が写真か否かを判別するために、図７のシークレットキー画像照合動作（ステップＵ１）の前段（スルー画像表示時）又は図５のシークレットキー画像登録動作（ステップＴ１）の前段に下記ステップＶ１〜Ｖ６を設けるようにする（図９）。
ステップＶ１：（フォーカス枠外への合焦指示等）
ユーザが「画像モード」で「画像照合処理」又は「シークレットキー画像登録処理」を選択すると、制御部２（ＣＰＵ）はシャッターキー８をロックし、次に、図８（ｃ）に示すようにカメラモジュール１から撮り込まれた被写体像を表示部７にスルー画像表示（ファインダ表示）すると共に表示画面７の中心８１”を中心点としたフォーカス枠８０を重畳表示し、カメラモジュール１に制御信号を送りフォーカス枠８０から所定距離離れた部分８２”に焦点を合わせるように指示する。
【００５９】
ステップＶ２：（自動合焦及び距離の取得）
カメラモジュール１は指示された部分８２”への自動合焦動作を行う。制御部２（ＣＰＵ）は、合焦によって得た焦点距離からカメラ（撮像レンズ）と指示された部分８２”である被写体の一部又は背景との距離Ｒ２を算出し、作業メモリ４に保持する。
【００６０】
ステップＶ３：（フォーカス枠の中心への合焦指示）
次に、制御部２（ＣＰＵ）はカメラモジュール１に制御信号を送りフォーカス枠８０の中心８１”に焦点を合わせるように指示する。
【００６１】
ステップＶ４：（自動合焦及び距離Ｒの取得）
カメラモジュール１はフォーカス枠の中心８１”（つまり、被写体の中心）への自動合焦動作を行う。制御部２（ＣＰＵ）は、合焦によって得た焦点距離からカメラ（撮像レンズ）とフォーカス枠の中心８１”である被写体部分との距離Ｒ１を算出し、作業メモリ４に保持する。
【００６２】
ステップＶ５：（写真か否かの判定）
制御部２（ＣＰＵ）は上記ステップＶ２とＶ３で得た距離Ｒ２とＲ１を比較し、Ｒ２＝Ｒ１ならば被写体を写真と判定してＶ６に遷移し、Ｒ２≠Ｒ１の場合には写真でないと判定し、シャッターキー８のロックを解除して画像の撮影を可能とする（つまり、図７のＵ１（又は図５のＴ１）に遷移する）。
【００６３】
ステップＶ６：（判定結果及びメッセージ表示）
制御部２（ＣＰＵ）は表示部７に「照合用画像として写真は利用できない」旨のメッセージを表示し、「画像照合処理」（又は「シークレットキー画像登録処理」）を終了する。
なお、上記図８、図９の例では２焦点を基に被写体（撮像対象）を判別したがこれに限定されない（３焦点以上でもよい）。
【００６４】
[実施の形態（３）]  被写体の判別（２）
図１０は被写体判別の他の実施例の説明図、図１１は腕時計型デジタルカメラ１００によるシークレットキー画像照合時の被写体判別動作の他の実施例を示すフローチャートである。
【００６５】
本発明は上記実施の形態（２）と同様にシークレット解除用の照合用画像として撮影する被写体が写真か否かを判断する。
このため、図２の腕時計型デジタルカメラ１００（例えば、図２（ｂ）のカメラモジュール１の近傍）に外光による被写体の照度を検出する照度センサを備えるようにし、図１０に示すように撮影前に被写体３０（３０’）の照度を調べて被写体３０（３０’）が写真か否かを判断する。
つまり、図１０（ａ）に示すように被写体３０が写真でない場合には被写体３０の輪郭内部９１とその外側９２の照度の分布は通常図１０（ａ’）に示すように不均一となる。しかし、被写体３０’が写真の場合には被写体（写真）３０’が平坦なための内部９１’、９２’の照度の分布は写真の幅ｗだけ通常図１０（ｂ’）に示すように均一になる。従って、撮影前に照度検出手段により被写体の照度の分布を調べることにより被写体が写真か否かを知ることができる。
【００６６】
（照度による被写体の判別動作）
つまり、被写体が写真か否かを判別するために、図７のシークレットキー画像照合動作（ステップＵ１）の前段（スルー画像表示時）に又は図５のシークレットキー画像登録動作（ステップＴ１）の前段に下記ステップＷ１〜Ｗ３（図１１）を設けるようにする。
【００６７】
ステップＷ１：（照度の計測）
ユーザが「画像モード」で「画像照合処理」又は「シークレットキー画像登録処理」を選択すると、制御部２（ＣＰＵ）はシャッターキー８をロックし、カメラモジュール１に制御信号を送って被写体の照度計測を指示する。カメラモジュール１は照度センサにより画角内の照度、つまり、外光による被写体の照度を計測し、計測値を制御部２（ＣＰＵ）に送出する。
【００６８】
ステップＷ２：（写真か否かの判定）
制御部２（ＣＰＵ）はカメラモジュール１から送られた照度計測値を作業メモリ４に記憶し、そのＸ方向又は／及びＹ方向の分布状態を調べ、分布が均一な部分の長さが所定値以上の部分がある場合には被写体を写真と判定してＷ３に遷移し、そうでない場合（分布が不均一の場合）には写真でないと判定してシャッターキー８のロックを解除し、画像の撮影を可能とする（つまり、図７のＵ１（又は図５のＴ１）に遷移する）。
【００６９】
ステップＷ３：（判定結果及びメッセージ表示）
制御部２（ＣＰＵ）は表示部７に「照合用画像として写真は利用できない」旨のメッセージを表示し、「画像照合処理」（又は「シークレットキー画像登録処理」）を終了する。
【００７０】
なお、上記説明では写真の判別を例としたが、判別対象は写真に限定されない（つまり、撮像対象が写真や印刷物か否かであれば判別可能である）。
【００７１】
[実施の形態（４）]  シークレットキーの一致率による情報開示制限
図１２は一致率（一致度）による情報表示制限ランクを付したシークレット情報の一実施例を示す図である。図１３は腕時計型デジタルカメラ１００によるシークレットキー画像の一致度に基づく情報表示動作の一実施例を示すフローチャートである。
【００７２】
実施の形態（１）では、撮影した照合用画像と登録されているシークレットキー画像が一致するか（図７：Ｕ５）それらの特徴が一致すると（Ｕ７）、シークレット情報全体（図４）を表示する（Ｕ１１）ように構成したが、図１２に示すようにシークレット情報を複数項目に分けて表示制限ランク毎に記憶し、照合一致度（一致率）に応じて表示すべきシークレット情報を制限するようにしてもよい（図１３（ａ）、（ｂ））。
【００７３】
例えば、図１２の個人情報１２０の例で、個人情報項目１２１毎に項目データ（表示内容１２２）をランク付けるランク格納欄１２３を設け、個人情報項目に対応させて項目データに照合一致率に応じてランク（この例ではＡ〜Ｄ）付けして記憶するようにする。
例えば、ランクＡの情報項目を最も照合一致度の高い一致率区分（例えば、一致率９９．５％以上）の場合、ランクＢを次に高い一致率区分（例えば、一致率９０％以上９５％未満）の場合、ランクＣを次の一致率区分（例えば、一致率８５％〜９０％）の場合、ランクＤをシークレット解除の最低一致率区分（例えば、８０％以上８５％未満）の場合に対応させ、一致率のランクに応じて情報項目の表示を制限する（つまり、高いランクの場合にはそれ以下のランクの情報項目全てを表示できるが、低いランクの場合は当該のランクより高いランクの情報項目を表示できない）。
すなわち、図７のステップＵ５〜（Ｕ７）の一致判定動作を図１３（ａ）のステップＸ１〜Ｘ６の動作に置き換え、更に、ステップＵ１１のシークレット画像表示動作を図１３（ｂ）のステップＹ１、Ｙ２に置き換えるようにする。
【００７４】
（一致判定及び照合一致率の取得）
ステップＸ１：（シークレットキー画像と照合用画像との照合（画像比較））画像認識処理部２３は、上記ステップＵ４で得た照合用画像とシークレットキー画像３１（図６（ａ））を比較し、一致の度合（一致率）が閾値（例えば、８０％）以上であれば一致としてＸ２に遷移し、閾値未満の場合にはＸ３に遷移する。
【００７５】
ステップＸ２：（ランクの取得及び保持）
制御部２（ＣＰＵ）は、上記ステップＸ１で得た画像の一致率を調べ、所定の区分に従ってランク付けし（例えば、４ランク（ランクＡ〜Ｄ）とし、一致率が９５％以上の場合ランクＡ、一致率が９０％以上９５％未満の場合ランクＢ、一致率が８５％〜９０％の場合ランクＣ、一致率が８０％以上８５％未満の場合ランクＤとし）、得られたランクを作業メモリ４に保持し、Ｕ９（図７）に遷移する。
【００７６】
ステップＸ３：（照合用画像の特徴抽出）
図１３（ａ）で、画像認識処理部２３は、照合用画像の特徴（例えば、突出部分（人物や動物を例とすると、頭部、耳、手足）の先端位置（座標））を抽出する。なお、特徴抽出する要素の中に色の組み合わせや色の配置を加えるようにしてもよい。
【００７７】
ステップＸ４：（特徴の照合）
次に、画像認識処理部２３は、保存メモリ５１に保存されているシークレット画像３１の特徴と上記ステップＸ３で抽出した照合用画像の特徴を比較し、一致の度合（一致率）が閾値（例えば、８５％）以上であれば一致としてＸ５に遷移し、閾値未満の場合にはＵ８（図７）に遷移する。つまり、その全体像における特徴的な部分とその位置関係（例えば、照合用画像の耳の位置、足の位置などとシークレット画像の耳の位置、足の位置）を判断する（すなわち、照合用画像と相似形か否か（全体の特徴部分とその全体比率）を判断する）。
【００７８】
ステップＸ５：（ランクの取得及び保持）
制御部２（ＣＰＵ）は、上記ステップＸ４で得た特徴の一致率を調べ、所定の区分に従ってランク付けし（例えば、４ランク（ランクＡ〜Ｄ）とし、一致率が９９．５％以上の場合ランクＡ、一致率が９５％以上９９．５％未満の場合ランクＢ、一致率が９０％〜９５％の場合ランクＣ、一致率が８５％以上９０％未満の場合ランクＤとし）、得られたランクを作業メモリ４に保持してＵ９（図７）に遷移する。
【００７９】
（シークレット画像制限表示動作）
ステップＹ１：（シークレット情報の読み出し）
図１３（ｂ）で、制御部２（ＣＰＵ）は、図７のステップＵ１０でボタンＳ１が選択されると、照合用画像に一致したシークレットキー画像に対応するシークレット情報（例えば、図１２の個人情報１２０）を保存メモリ５１から取り出し作業メモリ４に一時記憶する。
【００８０】
ステップＹ２：（ランクの比較及びランクの応じた情報の表示）
次に、図１３（ａ）のステップＸ２又はＸ５で取得（ランク付け）したランクとシークレット情報のランク格納欄（図１２の例ではランク格納欄１２３）に情報項目毎に格納されているランクを比較し、ステップＸ２又はＸ５で取得したランクがランク格納欄に格納されているランクと同等又は上位の場合にはそのランクに対応する情報項目の情報内容を表示ドライバ６を介して表示部７に表示する（例えば、図１２の例では、取得したランクがＡの場合には全項目が表示され、取得されたランクがＣの場合には、氏名、電話番号（会社）、メールアドレス（会社）、電話番号（個人）が表示される。また、取得したランクがＤの場合には氏名、電話番号（会社）、メールアドレス（会社）のみが表示される）。
【００８１】
上記実施の形態（４）の構成により、情報を利用しようとするものの資格によって、表示（提供）する情報を差別化することができる（例えば、パソコンに保存記憶されているシークレット情報を利用可能な人の資格を各個人の襟につけたバッチの形状であらわし、撮影機能を備えたパソコン（情報機器）がそのバッチを撮影し、アクセス可能な情報の範囲を決定するといった利用が可能となる）。
【００８２】
なお、上記図１３（ａ）の例では、図７のステップＵ４の整合化処理の後、ステップＸ１、Ｘ２の画像比較処理及びランク取得とステップＸ３〜Ｘ５の特徴抽出・比較処理及びランク取得の何れかを行うようにしたが、ステップＸ１、Ｘ２の画像比較処理及びランク取得のみを行って「シークレット解除」（Ｕ９）以降の処理に遷移し、そうでない場合には「シークレット解除不可メッセージ表示」（Ｕ８）に遷移するようにしてもよく、或いは、ステップＸ３〜Ｘ５の特徴抽出・特徴比較処理及びランク取得のみを行い、一致した場合にはＵ９以降の処理に遷移し、そうでない場合にはＵ８に遷移するようにしてもよい（なお、ステップＸ３〜Ｘ５のみを行う場合はステップＵ４の画像整合化処理を省略してもよい）。
【００８３】
以上、本発明の一実施例について説明したが本発明は上記実施例に限定されるものではなく、種々の変形実施が可能であることはいうまでもない。また、本発明は腕時計型デジタルカメラを例として説明したが、本発明の適用機器はデジタルカメラに限定されない（つまり、撮像機能及び情報表示装置等の出力装置を備えた情報機器であればよい）。
【００８４】
さらに本実施の形態において、保存メモリ５１は腕時計型デジタルカメラ１００に対し着脱可能なフラッシュメモリ等の不揮発性メモリで構成されていたが、これに限定されず、クレジット番号や銀行口座番号等、商取引に関連する個人認証データを記憶した、ＩＣカードでもよい。
【００８５】
【発明の効果】
以上説明したように、本発明によれば、情報を複数項目に分け、項目毎に表示制限ランクを記憶し、画像と照合した結果得られる一致率に応じてランク付けすると、このランクと表示制限ランクとを比較して、この比較の結果に基づいて項目の情報の表示を制限して、メモリに記憶されている情報を表示するようにしたので、表示（提供）する情報を差別化することができる。
【図面の簡単な説明】
【図１】本発明の情報表示装置の一実施例としての腕時計型デジタルカメラの外観図である。
【図２】腕時計型デジタルカメラの回路構成例を示すブロック図である。
【図３】シークレットキー画像として登録された画像の説明図である。
【図４】シークレットキー画像に対応付けて保存メモリに格納されているシークレット情報の一実施例を示す図である。
【図５】シークレットキー画像登録動作の一実施例を示すフローチャートである。
【図６】シークレットキー画像照合動作の説明図である。
【図７】シークレットキー画像照合及び情報表示動作の一実施例を示すフローチャートである。
【図８】被写体判別の一実施例の説明図である。
【図９】シークレットキー画像照合時の被写体判別動作の一実施例を示すフローチャートである。
【図１０】被写体判別の他の実施例の説明図である。
【図１１】シークレットキー画像照合時の被写体判別動作の他の実施例を示すフローチャートである。
【図１２】一致度による情報表示制限ランクを付したシークレット情報の一実施例を示す図である。
【図１３】一致率に基づく情報表示動作の一実施例を示すフローチャートである。
【符号の説明】
１  カメラモジュール（撮像手段）
２  制御部（ＣＰＵ）（制御手段、撮像対象判別手段、表示を制限する手段）
７  表示部（表示手段）
２３  画像認識処理部（照合手段）
３０’  写真（印刷物）
３１  シークレットキー画像（画像、保存記憶された画像）
３２、３２’  撮像画像、照合用画像（撮像された画像）
４０、１２０  個人情報（情報）
５１  保存メモリ（記憶手段）
１００  腕時計型デジタルカメラ（情報表示装置）
【図１】
0003982132.tif 000002
【図２】
0003982132.tif 000003
【図３】
0003982132.tif 000004
【図４】
0003982132.tif 000005
【図５】
0003982132.tif 000006
【図６】
0003982132.tif 000007
【図７】
0003982132.tif 000008
【図８】
0003982132.tif 000009
【図９】
0003982132.tif 000010
【図１０】
0003982132.tif 000011
【図１１】
0003982132.tif 000012
【図１２】
0003982132.tif 000013
【図１３】
0003982132.tif 000014